(57)【要約】      （修正有）【課題】多数台の動画再生装置から、単一のコントローラによる操作によって１つの動画再生装置を選択できる動画表示装置を提供する。【解決手段】動画表示装置本体１と選択装置２とを組合せて、多数台の動画再生装置を動画表示装置に接続する。選択装置は、主端子２１が動画表示装置本体に備えられた所定の規格の外部入力端子１１に接続され、２以上の分岐端子２２を備え、分岐端子が外部入力端子と同一の規格の外部入力を受け付け、分岐端子のいずれか１つを主端子に接続させる。また、選択装置は１台のリモートコントローラ３からの信号により主端子に接続させる分岐端子を切り替える。動画表示装置本体がテレビジョンである場合には、チャネル選択ボタンが所定の時間内に３回以上操作された場合に動画再生装置を選択する。【選択図】図１
0003188707.tif 000002
【実用新案登録請求の範囲】
【請求項１】
動画表示装置本体と、
前記動画表示装置本体に備えられた所定の規格の外部入力端子と、
主端子が前記外部入力端子に接続され、２以上の分岐端子を備え、前記２以上の分岐端子が前記外部入力端子と同一の規格の外部入力を受け付け、前記２以上の分岐端子のうちいずれか１つを主端子に接続させる選択装置を備えることを特徴とする動画表示装置。
【請求項２】
前記動画表示装置本体を操作するリモートコントローラを有し、
前記選択装置は前記リモートコントローラからの信号によって主端子に接続させる分岐端子を切り替えるものであることを特徴とする、請求項１に記載の動画表示装置。
【請求項３】
前記動画表示装置本体はテレビジョンであり、
前記リモートコントローラは２以上のチャネル選択ボタンを備え、
前記選択装置は、前記リモートコントローラから前記チャネル選択ボタンの操作を示す信号が所定の時間内に３以上の所定の回数だけ連続して受信された場合に、主端子に接続させる分岐端子を切り替えるものであることを特徴とする、請求項２に記載の動画表示装置。
【請求項４】
テレビジョンのリモートコントローラからチャネル選択ボタンの操作を示す信号が所定の時間内に３以上の所定の回数だけ連続して受信された場合に、主端子に接続させる分岐端子を切り替えるものであることを特徴とする、選択装置。
【請求項５】
前記動画表示装置本体がコンピュータモニタであることを特徴とする、請求項２に記載の動画表示装置。
【考案の詳細な説明】
【技術分野】
【０００１】
本考案は、テレビジョンその他の動画表示装置及び該動画表示装置に接続される動画再生装置を選択する選択装置に関する。
【背景技術】
【０００２】
テレビジョン、パーソナルコンピュータ等のディスプレイを有する動画表示装置は、ＤＶＤプレイヤ等の動画再生装置を接続し、再生された動画を表示することができる。
昨今、動画再生装置が多様化し、１台の動画表示装置に２台以上の動画再生装置が接続されることも多い。しかし、動画表示装置が有する動画再生装置の接続端子の数は２以下であることが多い。このため、接続端子の数よりも多い数の動画再生装置を接続するためには接続端子の切替機を用いる必要があった。
【０００３】
また、切替機を用いる場合においても、その操作（動画再生装置の選択）には切替機のスイッチ若しくはリモートコントローラを使用する必要があった。すなわち、動画表示装置と切替機との操作を一体化することは行われていなかった。
【先行技術文献】
【特許文献】
【０００４】
【特許文献１】特開２０１０−２０００８６号公報
【考案の概要】
【考案が解決しようとする課題】
【０００５】
本考案は、多数台の動画再生装置を動画表示装置に接続し、動画表示装置と一体化された操作（単一のコントローラによる操作）によって動画再生装置の選択を実行する構造を提供することを課題とする。
【課題を解決するための手段】
【０００６】
本考案の動画表示装置は、
動画表示装置本体と、
前記動画表示装置本体に備えられた所定の規格の外部入力端子と、
主端子が前記外部入力端子に接続され、２以上の分岐端子を備え、前記２以上の分岐端子が前記外部入力端子と同一の規格の外部入力を受け付け、前記２以上の分岐端子のうちいずれか１つを主端子に接続させる選択装置を備えることを特徴とする。
【０００７】
動画表示装置本体と選択装置とを組合せて、多数台の動画再生装置を動画表示装置に接続する。
外部入力端子としては、ＨＤＭＩ端子（「ＨＤＭＩ」は登録商標）、コンポジット映像端子、セパレート映像端子、コンポーネント映像端子、Ｄ映像端子及びＵＳＢ端子が少なくとも使用できる。
【０００８】
本考案の動画表示装置は、
前記動画表示装置本体を操作するリモートコントローラを有し、
前記選択装置は前記リモートコントローラからの信号によって主端子に接続させる分岐端子を切り替えるものであることを特徴とする。
【０００９】
１台のリモートコントローラによって動画表示装置本体と選択装置とを操作することで、動画表示装置と一体化された操作による動画再生装置の選択を実現する。
【００１０】
本考案の動画表示装置は、
前記動画表示装置本体はテレビジョンであり、
前記リモートコントローラは２以上のチャネル選択ボタンを備え、
前記選択装置は、前記リモートコントローラから前記チャネル選択ボタンの操作を示す信号が所定の時間内に３以上の所定の回数だけ連続して受信された場合に、主端子に接続させる分岐端子を切り替えるものであることを特徴とする。
【００１１】
テレビジョンの操作において、同一チャネルの選択を短時間に３回以上連続して行うことは考え難い。かかる操作を動画再生装置の選択に割り当てることで、通常のテレビジョン用のリモートコントローラによる動画再生装置の選択を可能にする。
【００１２】
本考案の選択装置は、
テレビジョンのリモートコントローラからチャネル選択ボタンの操作を示す信号が所定の時間内に３以上の所定の回数だけ連続して受信された場合に、主端子に接続させる分岐端子を切り替えるものであることを特徴とする。
【００１３】
通常のテレビジョン用のリモートコントローラによる動画再生装置の選択が可能な選択装置である。
【００１４】
本考案の動画表示装置は、
前記動画表示装置本体がコンピュータモニタであることを特徴とする。
【００１５】
コンピュータモニタに接続されるコンピュータによって、各種の制御が可能となる。
【考案の効果】
【００１６】
本考案の動画表示装置は、多数台の動画再生装置を接続することができ、動画表示装置と一体化された操作（単一のコントローラによる操作）によって動画再生装置の選択を実行することができる。
【００１７】
本考案の選択装置は、通常のテレビジョン用のリモートコントローラによる動画再生装置の選択ができる。
【図面の簡単な説明】
【００１８】
【図１】図１は、動画表示装置を示す図である。
【図２】図２は、リモートコントローラを示す図である。
【考案を実施するための形態】
【００１９】
以下、本考案の実施例を示す。なお、本実施例は一例であり、本考案の技術的範囲は本実施例に限定されない。
【００２０】
図１は、動画表示装置を示す図である。動画表示装置１は、テレビジョンであり、外部入力端子１１を備えている。外部入力端子１１はＨＤＭＩ端子である。
【００２１】
外部入力端子１１には、選択装置２の主端子２１が挿入されている。選択装置２は、ＨＤＭＩ切替機と同様に、２以上の分岐端子２２（図では６の分岐端子が示されている。）のうちの１を選択して主端子２１に接続する。接続された分岐端子２２に結合された動画再生装置（図示しない）が再生する動画が、動画表示装置１に表示される。
【００２２】
選択された分岐端子と主端子との接続は、選択装置２に備えられた回路が選択された分岐端子２２と主端子２１とを電気的に接続し、他の分岐端子２２と主端子２１とを電気的に接続しないことによる。ここで、電気的な接続は選択された分岐端子２２のみからの信号を主端子２１に送信するマイクロチップによる。なお、電気的な接続に替えてスイッチによる機械的な接続とすることもできる。
【００２３】
動画再生装置は、ＨＤＭＩ出力が可能であればよく、ＤＶＤプレイヤ、テレビジョンチューナ等が動画再生装置となり得る。
【００２４】
動画表示装置１は、テレビジョンの操作に用いるリモートコントローラ３を備えている。リモートコントローラの各々のボタンの押下時に発信される信号は既知であり、動画表示装置１のみならず選択装置２によっても受信される。
【００２５】
選択装置２は、予め定めた１の信号又は２以上の連続する信号列を受信した時に、分岐端子２２のうちの１つを選択して主端子２１に接続する。各々の分岐端子ごとに、いかなる信号（列）によってその分岐端子を主端子に接続するかを決めればよい。
【００２６】
信号は、選択装置２のみでなく動画再生装置１によっても受信される。すなわち、動画再生装置１のテレビジョンを操作するための信号が、選択装置２にも送信される。かかる信号によって分岐端子を選択して主端子に接続してしまうと、ユーザの意図とは異なる動作をしてしまうことになる。分岐端子を選択して主端子に接続するための信号（列）は、テレビジョンを操作するためには用いられないものである必要がある。
【００２７】
そのような信号列として、本実施例では、「３秒以内にチャネル選択ボタンが３回連続で押下された」場合の信号列を用いる。図２は、リモートコントローラを示す図である。リノートコントローラ３には、１から１２までの１２個のチャネル選択ボタン３１が設けられている。「１」のチャネル選択ボタンが３秒以内に３回連続で押下された場合には第１の分岐端子（図で一番上の分岐端子）が選択され、「２」のチャネル選択ボタンが３秒以内に３回連続で押下された場合には第２の分岐端子（図で上から２番目の分岐端子）が選択され、以下同様にして「１」〜「６」のチャネル選択ボタンによって決定される分岐端子２２が選択されて、主端子２１に接続される。
同一ボタンの連続押下で操作を指示するものとしては、特許文献１に連続数で消音時間をコントロールする方法が開示されている。このように、同一ボタンの連続押下はユーザにとって容易なものである。
【００２８】
接続する分岐端子を選択するための選択装置の動作は、以下のものである。
チャネル選択ボタンの信号を受信すると、タイマーを起動し、３秒以内に同一のチャネル選択ボタンの信号が更に２回受信されるか否かを判定する。更に２回受信された場合には、チャネル選択ボタンによって決定される分岐端子２２を選択して主端子２１に接続する。最初に受信したチャネル選択ボタンの信号とは異なる信号を受信した場合、タイマーの起動から３秒が経過した場合には、分岐端子を選択しない。
【００２９】
また、チャネル選択ボタンの信号を受信した場合の動画表示装置の動作は、以下のものである。チャネル選択ボタンの信号を受信すると、タイマーを起動し、３秒以内に同一のチャネル選択ボタンの信号が更に２回受信されるか否かを判定する。タイマーの起動から３秒が経過した時点で、表示するチャネルを変更する。１回のチャネル選択ボタンの押下のみではユーザの意図を確定させられないため、意図が確定したところで表示するチャネルを変更する。
【００３０】
本実施形態の態様は、本考案の技術的範囲内で様々な変更が可能である。例えば、以下の変更が考えられる。
外部接続端子１１に主端子を挿入することに替えて、動画再生装置１と選択装置２とを一体化した１つのハードウエアとしてもよい。この場合、リモートコントローラ３のボタンも、一体化した装置に合わせて設計し、分岐端子の接続を変更するためのボタンをテレビジョンの操作のためのボタンと別に設けることもできる。
分岐端子を選択して主端子に接続するための信号（列）に対応する操作は、テレビジョンを操作するためには用いられないものであれば、チャネル選択ボタンの３回連続押下に限定されない。例えば、４回以上の連続押下であったり、特定のボタンの２回の連続押下の後に主端子に接続する分岐端子の番号を押下するものであったりしてもよい。また、受信チャネルの存在しない番号のチャネル選択ボタンの１回の押下と主端子に接続する分岐端子の番号の押下との連鎖であってもよい。
【産業上の利用可能性】
【００３１】
本考案の動画表示装置は、多数台の動画再生装置を接続することができ、動画表示装置と一体化された操作（単一のコントローラによる操作）によって動画再生装置の選択を実行することができる。
本考案の選択装置は、通常のテレビジョン用のリモートコントローラによる動画再生装置の選択ができる。
いずれも、多くの個人による利用が考えられる。
【符号の説明】
【００３２】
１    動画表示装置本体
１１  外部接続端子（ＨＤＭＩ）
２    選択装置
２１  主端子
２２  分岐端子
３    リモートコントローラ
３１  チャネル選択ボタン
【図１】
0003188707.tif 000003
【図２】
0003188707.tif 000004
【手続補正書】
【提出日】平成25年11月23日(2013.11.23)
【手続補正１】
【補正対象書類名】実用新案登録請求の範囲
【補正対象項目名】全文
【補正方法】変更
【補正の内容】
【実用新案登録請求の範囲】
【請求項１】
動画表示装置本体と、
前記動画表示装置本体に備えられた所定の規格の外部入力端子と、
主端子が前記外部入力端子に接続され、２以上の分岐端子を備え、前記２以上の分岐端子が前記外部入力端子と同一の規格の外部入力を受け付け、前記２以上の分岐端子のうちいずれか１つを主端子に接続させる選択装置を備えることを特徴とする動画表示装置。
【請求項２】
前記動画表示装置本体を操作するリモートコントローラを有し、
前記選択装置は前記リモートコントローラからの信号によって主端子に接続させる分岐端子を切り替えるものであることを特徴とする、請求項１に記載の動画表示装置。
【請求項３】
前記動画表示装置本体はテレビジョンであり、
前記リモートコントローラは２以上のチャネル選択ボタンを備え、
前記選択装置は、前記リモートコントローラから前記チャネル選択ボタンの操作を示す信号が所定の時間内に３以上の所定の回数だけ連続して受信された場合に、主端子に接続させる分岐端子を切り替えるものであることを特徴とする、請求項２に記載の動画表示装置。
【請求項４】
前記動画表示装置本体がコンピュータモニタであることを特徴とする、請求項２に記載の動画表示装置。
【手続補正２】
【補正対象書類名】明細書
【補正対象項目名】全文
【補正方法】変更
【補正の内容】
【考案の詳細な説明】
【技術分野】
【０００１】
本考案は、テレビジョンその他の動画表示装置及び該動画表示装置に接続される動画再生装置を選択する選択装置に関する。
【背景技術】
【０００２】
テレビジョン、パーソナルコンピュータ等のディスプレイを有する動画表示装置は、ＤＶＤプレイヤ等の動画再生装置を接続し、再生された動画を表示することができる。
昨今、動画再生装置が多様化し、１台の動画表示装置に２台以上の動画再生装置が接続されることも多い。しかし、動画表示装置が有する動画再生装置の接続端子の数は２以下であることが多い。このため、接続端子の数よりも多い数の動画再生装置を接続するためには接続端子の切替機を用いる必要があった。
【０００３】
また、切替機を用いる場合においても、その操作（動画再生装置の選択）には切替機のスイッチ若しくはリモートコントローラを使用する必要があった。すなわち、動画表示装置と切替機との操作を一体化することは行われていなかった。
【先行技術文献】
【特許文献】
【０００４】
【特許文献１】特開２０１０−２０００８６号公報
【考案の概要】
【考案が解決しようとする課題】
【０００５】
本考案は、多数台の動画再生装置を動画表示装置に接続し、動画表示装置と一体化された操作（単一のコントローラによる操作）によって動画再生装置の選択を実行する構造を提供することを課題とする。
【課題を解決するための手段】
【０００６】
本考案の動画表示装置は、
動画表示装置本体と、
前記動画表示装置本体に備えられた所定の規格の外部入力端子と、
主端子が前記外部入力端子に接続され、２以上の分岐端子を備え、前記２以上の分岐端子が前記外部入力端子と同一の規格の外部入力を受け付け、前記２以上の分岐端子のうちいずれか１つを主端子に接続させる選択装置を備えることを特徴とする。
【０００７】
動画表示装置本体と選択装置とを組合せて、多数台の動画再生装置を動画表示装置に接続する。
外部入力端子としては、ＨＤＭＩ端子（「ＨＤＭＩ」は登録商標）、コンポジット映像端子、セパレート映像端子、コンポーネント映像端子、Ｄ映像端子及びＵＳＢ端子が少なくとも使用できる。
【０００８】
本考案の動画表示装置は、
前記動画表示装置本体を操作するリモートコントローラを有し、
前記選択装置は前記リモートコントローラからの信号によって主端子に接続させる分岐端子を切り替えるものであることを特徴とする。
【０００９】
１台のリモートコントローラによって動画表示装置本体と選択装置とを操作することで、動画表示装置と一体化された操作による動画再生装置の選択を実現する。
【００１０】
本考案の動画表示装置は、
前記動画表示装置本体はテレビジョンであり、
前記リモートコントローラは２以上のチャネル選択ボタンを備え、
前記選択装置は、前記リモートコントローラから前記チャネル選択ボタンの操作を示す信号が所定の時間内に３以上の所定の回数だけ連続して受信された場合に、主端子に接続させる分岐端子を切り替えるものであることを特徴とする。
【００１１】
テレビジョンの操作において、同一チャネルの選択を短時間に３回以上連続して行うことは考え難い。かかる操作を動画再生装置の選択に割り当てることで、通常のテレビジョン用のリモートコントローラによる動画再生装置の選択を可能にする。
【００１２】
本考案の動画表示装置は、
前記動画表示装置本体がコンピュータモニタであることを特徴とする。
【００１３】
コンピュータモニタに接続されるコンピュータによって、各種の制御が可能となる。
【考案の効果】
【００１４】
本考案の動画表示装置は、多数台の動画再生装置を接続することができ、動画表示装置と一体化された操作（単一のコントローラによる操作）によって動画再生装置の選択を実行することができる。
【００１５】
本考案の選択装置は、通常のテレビジョン用のリモートコントローラによる動画再生装置の選択ができる。
【図面の簡単な説明】
【００１６】
【図１】図１は、動画表示装置を示す図である。
【図２】図２は、リモートコントローラを示す図である。
【考案を実施するための形態】
【００１７】
以下、本考案の実施例を示す。なお、本実施例は一例であり、本考案の技術的範囲は本実施例に限定されない。
【００１８】
図１は、動画表示装置を示す図である。動画表示装置１は、テレビジョンであり、外部入力端子１１を備えている。外部入力端子１１はＨＤＭＩ端子である。
【００１９】
外部入力端子１１には、選択装置２の主端子２１が挿入されている。選択装置２は、ＨＤＭＩ切替機と同様に、２以上の分岐端子２２（図では６の分岐端子が示されている。）のうちの１を選択して主端子２１に接続する。接続された分岐端子２２に結合された動画再生装置（図示しない）が再生する動画が、動画表示装置１に表示される。
【００２０】
選択された分岐端子と主端子との接続は、選択装置２に備えられた回路が選択された分岐端子２２と主端子２１とを電気的に接続し、他の分岐端子２２と主端子２１とを電気的に接続しないことによる。ここで、電気的な接続は選択された分岐端子２２のみからの信号を主端子２１に送信するマイクロチップによる。なお、電気的な接続に替えてスイッチによる機械的な接続とすることもできる。
【００２１】
動画再生装置は、ＨＤＭＩ出力が可能であればよく、ＤＶＤプレイヤ、テレビジョンチューナ等が動画再生装置となり得る。
【００２２】
動画表示装置１は、テレビジョンの操作に用いるリモートコントローラ３を備えている。リモートコントローラの各々のボタンの押下時に発信される信号は既知であり、動画表示装置１のみならず選択装置２によっても受信される。
【００２３】
選択装置２は、予め定めた１の信号又は２以上の連続する信号列を受信した時に、分岐端子２２のうちの１つを選択して主端子２１に接続する。各々の分岐端子ごとに、いかなる信号（列）によってその分岐端子を主端子に接続するかを決めればよい。
【００２４】
信号は、選択装置２のみでなく動画再生装置１によっても受信される。すなわち、動画再生装置１のテレビジョンを操作するための信号が、選択装置２にも送信される。かかる信号によって分岐端子を選択して主端子に接続してしまうと、ユーザの意図とは異なる動作をしてしまうことになる。分岐端子を選択して主端子に接続するための信号（列）は、テレビジョンを操作するためには用いられないものである必要がある。
【００２５】
そのような信号列として、本実施例では、「３秒以内にチャネル選択ボタンが３回連続で押下された」場合の信号列を用いる。図２は、リモートコントローラを示す図である。リノートコントローラ３には、１から１２までの１２個のチャネル選択ボタン３１が設けられている。「１」のチャネル選択ボタンが３秒以内に３回連続で押下された場合には第１の分岐端子（図で一番上の分岐端子）が選択され、「２」のチャネル選択ボタンが３秒以内に３回連続で押下された場合には第２の分岐端子（図で上から２番目の分岐端子）が選択され、以下同様にして「１」〜「６」のチャネル選択ボタンによって決定される分岐端子２２が選択されて、主端子２１に接続される。
同一ボタンの連続押下で操作を指示するものとしては、特許文献１に連続数で消音時間をコントロールする方法が開示されている。このように、同一ボタンの連続押下はユーザにとって容易なものである。
【００２６】
接続する分岐端子を選択するための選択装置の動作は、以下のものである。
チャネル選択ボタンの信号を受信すると、タイマーを起動し、３秒以内に同一のチャネル選択ボタンの信号が更に２回受信されるか否かを判定する。更に２回受信された場合には、チャネル選択ボタンによって決定される分岐端子２２を選択して主端子２１に接続する。最初に受信したチャネル選択ボタンの信号とは異なる信号を受信した場合、タイマーの起動から３秒が経過した場合には、分岐端子を選択しない。
【００２７】
また、チャネル選択ボタンの信号を受信した場合の動画表示装置の動作は、以下のものである。チャネル選択ボタンの信号を受信すると、タイマーを起動し、３秒以内に同一のチャネル選択ボタンの信号が更に２回受信されるか否かを判定する。タイマーの起動から３秒が経過した時点で、表示するチャネルを変更する。１回のチャネル選択ボタンの押下のみではユーザの意図を確定させられないため、意図が確定したところで表示するチャネルを変更する。
【００２８】
本実施形態の態様は、本考案の技術的範囲内で様々な変更が可能である。例えば、以下の変更が考えられる。
外部接続端子１１に主端子を挿入することに替えて、動画再生装置１と選択装置２とを一体化した１つのハードウエアとしてもよい。この場合、リモートコントローラ３のボタンも、一体化した装置に合わせて設計し、分岐端子の接続を変更するためのボタンをテレビジョンの操作のためのボタンと別に設けることもできる。
分岐端子を選択して主端子に接続するための信号（列）に対応する操作は、テレビジョンを操作するためには用いられないものであれば、チャネル選択ボタンの３回連続押下に限定されない。例えば、４回以上の連続押下であったり、特定のボタンの２回の連続押下の後に主端子に接続する分岐端子の番号を押下するものであったりしてもよい。また、受信チャネルの存在しない番号のチャネル選択ボタンの１回の押下と主端子に接続する分岐端子の番号の押下との連鎖であってもよい。
【産業上の利用可能性】
【００２９】
本考案の動画表示装置は、多数台の動画再生装置を接続することができ、動画表示装置と一体化された操作（単一のコントローラによる操作）によって動画再生装置の選択を実行することができる。
本考案の選択装置は、通常のテレビジョン用のリモートコントローラによる動画再生装置の選択ができる。
いずれも、多くの個人による利用が考えられる。
【符号の説明】
【００３０】
１    動画表示装置本体
１１  外部接続端子（ＨＤＭＩ）
２    選択装置
２１  主端子
２２  分岐端子
３    リモートコントローラ
３１  チャネル選択ボタン